(57)【要約】【課題】  厚紙で先端部が下向きにカールした用紙を給紙する場合において、用紙がサバキ部材に突っかかって詰まってしまうのを防止できる、給紙装置を提供すること。【解決手段】  給紙台３上に積み重ねられた用紙１０の一番上の用紙を吸着して搬送方向の上流側から下流側へ搬送する吸着搬送手段２と、積み重ねられた用紙の下流側先端部に向けて空気を吹き付ける空気吹付手段と、吸着搬送手段により搬送される一番上の用紙のみの通過を許容するサバキ部材８と、積み重ねられた用紙の上記先端部が当接している給紙台の下流側ガイド壁３１の、上縁３１１から下流側へ延びた、下方ガイド部７１と、下方ガイド部に上方から対向して配置され、下流側に向けて下方ガイド部に近接するとともに下方ガイド部との間に所定の間隔を有している、上方ガイド部７２と、を備え、サバキ部材８が、下方ガイド部と上方ガイド部との上記近接した部分に配置されていることを特徴とする。【選択図】図１
2005239311.tif 000002
【特許請求の範囲】
【請求項１】
給紙台上に積み重ねられた用紙を上から１枚ずつ分離して搬送する給紙装置において、
積み重ねられた用紙の一番上の用紙を吸着して搬送方向の上流側から下流側へ搬送する吸着搬送手段と、
積み重ねられた用紙の下流側先端部に向けて空気を吹き付ける空気吹付手段と、
吸着搬送手段により搬送される一番上の用紙のみの通過を許容するサバキ部材と、
積み重ねられた用紙の上記先端部が当接している給紙台の下流側ガイド壁の、上縁から下流側へ延びた、下方ガイド部と、
下方ガイド部に上方から対向して配置され、下流側に向けて下方ガイド部に近接するとともに下方ガイド部との間に所定の間隔を有している、上方ガイド部と、を備え、
サバキ部材が、下方ガイド部と上方ガイド部との上記近接した部分に配置されていることを特徴とする給紙装置。
【請求項２】
下方ガイド部が、ガイド板からなっている、請求項１記載の給紙装置。
【請求項３】
下方ガイド部が、搬送ローラとガイド板とからなっている、請求項１記載の給紙装置。
【請求項４】
搬送ローラが、植毛された外周面を有するものである、請求項３記載の給紙装置。
【発明の詳細な説明】
【技術分野】
【０００１】
本発明は、積み重ねられた用紙を上から１枚ずつ分離して搬送する、即ち給紙する、給紙装置に関するものである。
【背景技術】
【０００２】
サバキ部材を有する給紙装置としては、特許文献１に記載のものがある。この装置は、図５に示すように、給紙台３上に積み重ねられた用紙１０の一番上の用紙１０を吸着して搬送する吸着搬送手段２と、吸着搬送手段２により搬送される一番上の用紙１０のみの通過を許容するサバキ部材５と、を備えている。サバキ部材５は、用紙１０の幅方向の例えば２箇所に設けられた板体５１からなり、板体５１は、積み重ねられた用紙１０の先端部１０１が当接している給紙台３のガイド壁３１の、下流側に、上縁３１１よりも上に突出して固定されている。
【特許文献１】特開２０００−３４０５２号公報
【発明の開示】
【発明が解決しようとする課題】
【０００３】
ところで、給紙する用紙には、様々な種類や状態のものがある。平らな用紙であれば、上述したサバキ部材５で何ら不具合はない。しかしながら、平らでない用紙の場合には、上述したサバキ部材５では不具合の生じる場合があった。即ち、片面が複写されたり印刷されたりしている用紙の場合には、用紙の表裏の伸縮の差等によって、カールした状態となることがある。そして、特に、厚紙で先端部が下向きにカールした用紙を給紙する場合には、図６に示すように、用紙１０の先端部１０１がサバキ部材５に突っかかってしまい、用紙１０がサバキ部材５を越えることができないで詰まってしまうことがあった。
【０００４】
本発明は、厚紙で先端部が下向きにカールした用紙を給紙する場合において、用紙がサバキ部材に突っかかって詰まってしまうのを防止できる、給紙装置を提供することを目的としている。
【課題を解決するための手段】
【０００５】
請求項１記載の発明は、給紙台上に積み重ねられた用紙を上から１枚ずつ分離して搬送する給紙装置において、積み重ねられた用紙の一番上の用紙を吸着して搬送方向の上流側から下流側へ搬送する吸着搬送手段と、積み重ねられた用紙の下流側先端部に向けて空気を吹き付ける空気吹付手段と、吸着搬送手段により搬送される一番上の用紙のみの通過を許容するサバキ部材と、積み重ねられた用紙の上記先端部が当接している給紙台の下流側ガイド壁の、上縁から下流側へ延びた、下方ガイド部と、下方ガイド部に上方から対向して配置され、下流側に向けて下方ガイド部に近接するとともに下方ガイド部との間に所定の間隔を有している、上方ガイド部と、を備え、サバキ部材が、下方ガイド部と上方ガイド部との上記近接した部分に配置されていることを特徴としている。
【０００６】
請求項２記載の発明は、請求項１記載の発明において、下方ガイド部が、ガイド板からなっているものである。
【０００７】
請求項３記載の発明は、請求項１記載の発明において、下方ガイド部が、搬送ローラとガイド板とからなっているものである。
【０００８】
請求項４記載の発明は、請求項３記載の発明において、搬送ローラが、植毛された外周面を有するものである。
【発明の効果】
【０００９】
請求項１記載の発明においては、搬送される用紙が厚紙で先端部が下向きにカールしたものである場合、用紙は、下方ガイド部と上方ガイド部との間に入って、更に、両者の近接した部分に入って行き、それに従って、上下から押さえられたようになっていき、カールが平坦に強制された状態となっていく。従って、請求項１記載の発明によれば、用紙を、カール状態から平坦な状態に変えることができ、それによって、用紙がサバキ部材に突っかかって詰まってしまうのを防止できる。よって、用紙が厚紙で先端部が下向きにカールしたものであっても、積み重ねられた用紙の一番上の用紙のみを分離して安定して搬送することができる。
【００１０】
請求項２記載の発明によれば、下方ガイド部を簡単な構成で実現できる。
【００１１】
請求項３記載の発明によれば、用紙を、搬送ローラによって積極的に前方へ搬送できる。
【００１２】
請求項４記載の発明によれば、用紙が搬送ローラの外周面でスリップするのを防止できるので、用紙を、搬送ローラによって積極的に且つ安定して前方へ搬送できる。
【発明を実施するための最良の形態】
【００１３】
図１は本発明の給紙装置を示す側面断面模式図である。この給紙装置１は、給紙台３上に積み重ねられた用紙１０を上から１枚ずつ分離して搬送するものである。そして、給紙装置１は、積み重ねられた用紙１０の一番上の用紙１０を吸着して搬送方向上流側から下流側へ搬送する吸着搬送手段２と、吸着搬送手段２に続くガイド部７と、ガイド部７の下流側に設けられ、搬送される一番上の用紙１０のみの通過を許容するサバキ部材８と、積み重ねられた用紙１０の下流側の先端部１０１に向けて下流側から空気を吹き付ける空気吹付手段（図示せず）と、を備えている。なお、用紙１０は、給紙台３上に積み重ねられ、先端部１０１が給紙台３の下流側のガイド壁３１に当接している。
【００１４】
吸着搬送手段２は、２個の回転ローラ２１間に張り渡された無端環状のベルト２２と、ベルト２２の下方に位置する用紙１０を吸い上げてベルト２２に吸着させる吸引手段（図示せず）と、で構成されており、用紙１０を、ベルト２２に吸着させた状態でベルト２２の矢印方向への移動によって下流側へ搬送するようになっている。
【００１５】
空気吹付手段は、ガイド壁３１を貫通した吹付け部（図示せず）と、吹付け部に接続した空気ブロワ（図示せず）と、を有しており、下流側から吹付け部を通して上流側に向けて空気を吐出するようになっている。
【００１６】
そして、ガイド部７は、給紙台３のガイド壁３１の上縁３１１から下流側へ延びた下方ガイド部７１と、下方ガイド部７１に上方から対向して配置された上方ガイド部７２と、で構成されている。図２は図１の下方ガイド部７１の平面図である。下方ガイド部７１は、ガイド板からなっており、該ガイド板は、図２に示すように、複数枚の板体７１１を用紙の幅方向Ｗに間隔をおいて並設して構成されており、上方ガイド部７２も、下方ガイド部７１と同様に構成されている。そして、上方ガイド部７２は、下流側に向けて下方ガイド部７１に近接するとともに、下方ガイド部７２との間に所定の間隔を有している。即ち、上方ガイド部７２の下流部７２１が、所定の間隔をおいて、下方ガイド部７１の平坦部７１１に近接している。
【００１７】
また、下流部７２１と平坦部７１１との間には、サバキ部材８が設けられている。サバキ部材８は、平坦部７１１から斜め前向きに突出して下流部７２１に近接しており、サバキ部材８と下流部７２１との間の距離は、１枚の用紙１０だけが通過可能な大きさに設定されている。
【００１８】
次に、上記構成の給紙装置１の作動について説明する。
まず、空気吹付手段を作動させて、給紙台３上に積み重ねられた用紙１０の上部に向けて、吹付け部から空気を吐出させる。これによって、上部に位置している数枚の用紙１０の間に隙間ができ、上部の用紙１０が浮き上がって分離しやすくなる。この状態で、吸着搬送手段２の吸引手段を作動させる。これにより、分離しやすくなっている上部の用紙１０の内の一番上の用紙１０が吸い上げられて、ベルト２２に吸着される。そして、回転ローラ２１を作動させる。これにより、ベルト２２に吸着された用紙１０が、ベルト２２の移動に伴って、ガイド壁３１よりも下流側へ搬送される。搬送された用紙１０は、下方ガイド部７１と上方ガイド部７２との間を通って、サバキ部材８を越えて、更に下流側へ向けて搬送される。
【００１９】
そして、上記構成の給紙装置１においては、給紙台３上に積み重ねられた用紙１０が、厚紙で先端部１０１が下向きにカールしたものである場合、ガイド部７及びサバキ部材８が次のように機能して、搬送が行われる。即ち、図１に一点鎖線で示すように、ベルト２２に吸着されてガイド壁３１よりも下流側へ搬送されてきた用紙１０は、下方ガイド部７１の上を滑るように移動していき、下流部７２１と平坦部７１１との間に入って行く。そのとき、用紙１０は、下方ガイド部７１と上方ガイド部７２との間に入って、更に、下流部７２１と平坦部７１１との間に入って行くに従って、上下から押さえられたようになっていき、カールが平坦に強制された状態となっていく。そして、用紙１０は、平坦な状態となってサバキ部材８を越える。従って、用紙１０が厚紙で先端部１０１が下向きにカールしたものであっても、図１に一点鎖線で示すように、一番上の用紙１０のみがサバキ部材８を越えて搬送される。
【００２０】
従って、上記構成の給紙装置１によれば、用紙１０が厚紙で先端部１０１が下向きにカールしたものであっても、一番上の用紙１０を、平坦な状態として、サバキ部材８の箇所で詰まらせることなく、サバキ部材８を越えさせて搬送することができ、よって、用紙１０を１枚ずつ安定して搬送することができる。
【００２１】
図３は本発明の給紙装置の別の例を示す側面断面模式図である。この給紙装置１Ａは、給紙装置１の下方ガイド部７１を、下流部分であるガイド板７４と上流部分である搬送ローラ７５とで構成したものであり、その他は給紙装置１と同じである。
【００２２】
ガイド板７４は、図２の下方ガイド部７１と同様に、複数枚の板体を用紙の幅方向Ｗに間隔をおいて並設して構成されている。
【００２３】
搬送ローラ７５は、その外周面がガイド壁３１の上部に下方ガイド部７１の一部を構成するよう、設けられている。図４は図３の搬送ローラ７５の平面図である。搬送ローラ７５は、回転軸７５１に、複数個の小ローラ７５２が間隔をおいて並設されてなるものである。また、各小ローラ７５２の外周面は植毛されている。
【００２４】
この給紙装置１Ａにおいて、吸着搬送手段２によってガイド壁３１の上方を搬送される用紙１０は、搬送ローラ７５の回転によって下流側へ積極的に搬送されて、ガイド板７４と上方ガイド部７２との間を通って、カールが平坦に強制された状態となって、サバキ部材８を越えて、更に下流側へ向けて搬送される。
【００２５】
即ち、上記構成の給紙装置１Ａにおいても、用紙１０が、下方ガイド部７１と上方ガイド部７２との間に入って、更に、下流部７２１と平坦部７１１との間に入って行くので、用紙１０が厚紙で先端部１０１が下向きにカールしたものである場合、給紙装置１の場合と同様に、用紙１０が平坦な状態となってサバキ部材８を越える。従って、用紙１０が厚紙で先端部１０１が下向きにカールしたものであっても、図３に一点鎖線で示すように、一番上の用紙１０を、平坦な状態として、サバキ部材８の箇所で詰まらせることなく、サバキ部材８を越えさせて搬送することができ、よって、用紙１０を１枚ずつ安定して搬送することができる。
【００２６】
また、上記構成の給紙装置１Ａにおいては、各小ローラ７５２の外周面即ち搬送ローラ７５の外周面が植毛されているので、用紙１０は、搬送ローラ７５の外周面でスリップすることなく、搬送ローラ７５によって安定して前方へ搬送される。
【００２７】
なお、次のような変形構造を採用してもよい。
（１）下方ガイド部７１を、幅方向Ｗに延びた１枚の板体からなるガイド板で構成する。
（２）上方ガイド部７２を、幅方向Ｗに延びた１枚の板体からなるガイド板で構成する。
（３）搬送ローラ７５を、幅方向Ｗに延びた１個のローラで構成する。
（４）ガイド板７４を幅方向Ｗに延びた１枚の板体で構成する。
（５）ガイド板７４と搬送ローラ７５との搬送方向における配置関係を逆にする。
【産業上の利用可能性】
【００２８】
本発明の給紙装置は、厚紙で先端部が下向きにカールした用紙でも、積み重ねられた用紙の上から１枚ずつ分離して安定して搬送できるので、産業上の利用価値が大である。
【図面の簡単な説明】
【００２９】
【図１】本発明の給紙装置を示す側面断面模式図である。
【図２】図１の下方ガイド部の平面図である。
【図３】本発明の給紙装置の別の例を示す側面断面模式図である。
【図４】図３の搬送ローラの平面図である。
【図５】従来の給紙装置を示す側面断面模式図である。
【図６】従来の給紙装置における不具合の状態を示す側面断面模式図である。
【符号の説明】
【００３０】
１、１Ａ  給紙装置  １０  用紙  １０１  先端部  ２  吸着搬送手段  ３  給紙台  ３１  ガイド壁  ３１１  上縁  ７１  下方ガイド部  ７２  上方ガイド部  ７４  ガイド板  ７５  搬送ローラ  ８  サバキ部材
【図１】
2005239311.tif 000003
【図２】
2005239311.tif 000004
【図３】
2005239311.tif 000005
【図４】
2005239311.tif 000006
【図５】
2005239311.tif 000007
【図６】
2005239311.tif 000008